(57)【要約】【課題】  着座したままで、無理なくストレッチや筋力向上のための運動を行うことが可能で、しかも、下肢にも一定の負荷を与え得る椅子を提供する。【解決手段】  座面を備えた椅子本体１下側のほぼ中央に、ほぼ垂直方向に可撓性を備えた棒状部材２を接合し、棒状部材２には、底面のほぼ中央に棒状部材２が嵌合する貫通孔を具備してなる円錐台形状を有するストッパー３と、上方向の径が拡がる拡径部６を具備し、棒状部材２が遊嵌する円管形状を有する支持部材４と、支持部材４の下端が接合されてなる台座９と、支持部材４の下端における、棒状部材２の下端と台座９の上面との間に空間に嵌装されてなる圧縮バネ７とで椅子を構成する。前記構成により、椅子本体は任意の方向への搖動と上下動が可能となり、筋力向上やストレッチ運動に利用できる。【選択図】  図１
2014204813.tif 000002
【特許請求の範囲】
【請求項１】
椅子本体と、可撓性を有し、前記椅子本体の座面下側のほぼ中央に、ほぼ垂直に接合されてなる棒状部材と、底面のほぼ中央に前記棒状部材が嵌合する貫通孔を具備してなる円錐台形状を有し、前記棒状部材を係止する手段を有するストッパーと、上方向の径が拡がる拡径部を具備し、前記棒状部材が遊嵌する円管形状を有する支持部材と、前記支持部材の下端が接合されてなる台座と、前記支持部材の下端における、前記棒状部材の下端と前記台座の上面との間に空間に嵌装されてなる圧縮バネとを有することを特徴とする椅子。
【発明の詳細な説明】
【技術分野】
【０００１】
本発明は、椅子に関わり、特に座ったままで、一定の運動が可能な椅子に関するものである。
【背景技術】
【０００２】
椅子には、単に座って食事をしたり、デスクワークを行ったりするものの他、着座する以外の機能を有する椅子が種々実用化されている。例えば特許文献１には、人体にマッサージを施すことを目的とした、身体を揺動させる揺動機構を備えた椅子型のマッサージ機が開示されている。
【０００３】
また、我が国のように、人口の高齢化が進行しているところでは、身体機能の維持を目的として、運動補助機能を具備してなる椅子が実用化されている。例えば特許文献２には、高齢者の筋力増進や運動障害を持つ人に用いることが可能な、復数種の高さの段を構成し得る運動用椅子が開示されている。
【０００４】
さらに、特許文献３には、同一の姿勢を継続することになりがちな、デスクワークによる障害を緩和することを目的に、着座したままで、腰部と脇腹と肩部とを同時にストレッチすることのできる、ストレッチ椅子が開示されている。
【０００５】
特許文献３に開示されているような椅子であれば、通常のデスクワークの中で、無理なく運動ができ、しかも高齢者や運動機能障害を持つ人にでも使用できるという利点がある。しかしながらこの椅子では、下半身の運動に、必ずしも十分適用していないという点で、改善の余地があると言える。
【先行技術文献】
【特許文献】
【０００６】
【特許文献１】特開２０１３−０４２７９７号公報
【特許文献２】特開２０１２−０１６５０６号公報
【特許文献３】特開２０１１−０３６４５４号公報
【発明の概要】
【発明が解決しようとする課題】
【０００７】
そこで本発明の課題とするところは、着座したままで、無理なくストレッチや筋力向上のための運動を行うことが可能で、しかも、下肢にも一定の負荷を与え得る椅子を提供することにある。
【課題を解決するための手段】
【０００８】
本発明は下肢を用いて、椅子や身体を揺動させ得る機能を、椅子に付与することを検討した結果、なされたものである。
【０００９】
即ち、本発明は、椅子本体と、可撓性を有し、前記椅子本体の座面下側のほぼ中央に、ほぼ垂直に接合されてなる棒状部材と、底面のほぼ中央に前記棒状部材が嵌合する貫通孔を具備してなる円錐台形状を有し、前記棒状部材を係止する手段を有するストッパーと、上方向の径が拡がる拡径部を具備し、前記棒状部材が遊嵌する円管形状を有する支持部材と、前記支持部材の下端が接合されてなる台座と、前記支持部材の下端における、前記棒状部材の下端と前記台座の上面との間に空間に嵌装されてなる圧縮バネとを有することを特徴とする椅子である。
【発明の効果】
【００１０】
本発明による椅子は、椅子本体に接合されている棒状部材が可撓性を備えた材料で構成され、拡径部を有する円管形状の支持部材に遊嵌状態で収納されているので、台座などに足をかけて屈伸などを行うことで、椅子本体を前後左右の任意の方向に搖動することが可能であり、下肢の運動を行うことができる。
【００１１】
また、棒状部材の下端部には、圧縮バネが嵌装されているので、椅子本体を搖動させた場合の衝撃を吸収できる他、上下方向に一定範囲で、動かすことも可能である。さらに棒状部材に嵌合されたストッパーを、適当な位置に設定して支持部材の拡径部に嵌合させることで、椅子本体を固定状態とすることも可能である。
【図面の簡単な説明】
【００１２】
【図１】本発明に係る椅子の一例を示す斜視図。
【図２】本発明に係る椅子の前後への搖動状態の一例を示す図。
【図３】本発明に係る椅子の本体を固定した状態の一例を示す図、図３（ａ）は側面図、図３（ｂ）はＡ部の詳細を示す図。
【発明を実施するための形態】
【００１３】
次に、本発明の実施の形態について、具体的な図に基づいて説明する。
【００１４】
図１は、本発明に係る椅子の一例を示す斜視図である。図１において、１は椅子本体、２は棒状部材、３はストッパー、４は支持部材、５は支持部材における棒状部材収納部、６は拡径部、７は圧縮バネ、８は足掛けリング、９は台座，１０は台座の支持脚である。
【００１５】
図１に示したように、本発明に係る椅子は椅子本体１に接合された棒状部材２が、拡径部６の範囲内で可動な状態で、支持部材４に収納されているので、例えば足掛けリング８に足を掛けて、足を屈伸することで、図２に示した椅子本体１の搖動方向を示す矢印１１のように、椅子本体を搖動させることができ、着座したままで、腰などに負担がかからない状態で下肢の運動を行うことができる。
【００１６】
棒状部材の材質は特に限定されるものではないが、適度な機械的強度を備え、かつ可撓性を有する炭素繊維で構成される棒状の材料などを用いることができる。また、支持部材４の下端には、台座９の表面と棒状部材２の下端の間の空間に、圧縮バネ７が嵌装されているので、椅子本体１を一定範囲内で上下動させることができ、この椅子を用いて行える運動の選択肢を拡げることができる。
【００１７】
図３は、本発明に係る椅子の本体を固定した状態の一例を示す図で、図３（ａ）は側面図、図３（ｂ）はＡ部の詳細を示す図である。図３に示したように、本発明に係る椅子は、留ネジ１２を用いて、ストッパー３を所要の位置に固定することにより、ストッパー３を拡径部６に嵌合させ、椅子本体１を動かないようにして、通常の椅子として用いることも可能である。
【００１８】
なお特に図示しないが、椅子本体１の背もたれを、例えばバネで支持する構造とすることで、一定範囲で背もたれを後方に傾ける、つまり、リクライニングすることも可能となり、腰や背のストレッチ運動が可能となるのは勿論である。
【００１９】
以上に説明したように、本発明によれば使用者が腰掛ける部分である椅子本体を、任意の方向に搖動させたり上下動させたりすることが可能な椅子を提供することができ、高齢者の運動不足解消や、長時間のデスクワークの継続に伴う障害の予防などに資することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２０】
１・・・
椅子本体
２ ・・・ 棒状部材
３ ・・・ ストッパー
４ ・・・ 支持部材
５ ・・・ 棒状部材収納部
６ ・・・ 拡径部
７ ・・・ 圧縮バネ
８ ・・・ 足掛けリング
９ ・・・ 台座
１０ ・・・ 支持脚
１１ ・・・ 椅子本体の搖動方向を示す矢印
１２ ・・・ 留ネジ
【図１】
2014204813.tif 000003
【図２】
2014204813.tif 000004
【図３】
2014204813.tif 000005